(57)【要約】【課題】      カラーフィルタを透過した光の光度を光センサによって検知することで、より適切なＬＥＤの光度調整を行うことのできる電気光学装置を提供する。【解決手段】  電気光学装置は、例えば、一対の基板を有する液晶表示装置であり、複数の色の着色層が、一対の基板の間に設置されると共に画像の表示領域内に配置されている。照明装置は、バックライトであり、一対の基板のうち、一方の基板から光を入射させる。このバックライトとしては、例えば端面に、複数の光源を有する導光板であり、複数の光源としては、例えば、赤色、緑色、青色などの各色のＬＥＤが用いられる。光センサは、着色層を透過した各色の光の光度を検知する。光源制御手段は、光センサによって検知された各色の光の光度を基に複数の光源の光度を色毎に制御する。これにより、電気光学装置は、着色層を透過した白色光の色、即ち、表示画面に映し出される白色を、製品出荷時に設定された白色に正確に調整することができる。【選択図】図１
2006267784.tif 000002
【特許請求の範囲】
【請求項１】
一対の基板と、
前記一対の基板の間に設置されると共に画像の表示領域内に配置される複数の色の着色層と、
それぞれが異なる色の光を出射する複数の光源を有し、前記一対の基板のうち一方の基板から光を入射させる照明装置と、
前記着色層を透過した各色の光の光度を検知する光センサと、
前記各色の光の光度を基に前記複数の光源の光度を色毎に制御する光源制御手段と、を備えることを特徴とする電気光学装置。
【請求項２】
前記複数の色の着色層は、前記一対の基板のうち、いずれか一方の基板に設置されていることを特徴とする請求項１に記載の電気光学装置。
【請求項３】
前記複数の光源の光度は、前記複数の光源に流れる電流量により変化し、
前記光源制御手段は、前記各色の光の光度が所定の比率となるまで前記複数の光源に流れる電流量を調整することを特徴とする請求項１又は２に記載の電気光学装置。
【請求項４】
前記光センサは、単体の光センサとされ、光の分光スペクトルをとることにより前記各色の光の光度を検知することを特徴とする請求項１乃至３のいずれか一項に記載の電気光学装置。
【請求項５】
前記電流量は、前記光センサが前記各色の光の光度を検知した後に、前記光源制御手段が前記電流量を調整する調整量の幅が０．２ｍＡ以下とされることを特徴とする請求項１乃至４のいずれか一項に記載の電気光学装置。
【請求項６】
前記光センサは、前記他方の基板の着色層の存在する範囲を超えて延在する部分に取付けられることを特徴とする請求項１乃至５のいずれか一項に記載の電気光学装置。
【請求項７】
前記光センサは、前記他方の基板の内部を伝播してくる光を検知することを特徴とする請求項６に記載の電気光学装置。
【請求項８】
請求項１乃至７のいずれか一項に記載の電気光学装置を表示部に備えることを特徴とする電子機器。
【発明の詳細な説明】
【技術分野】
【０００１】
本発明は、各種情報の表示に用いて好適な電気光学装置に関する。
【背景技術】
【０００２】
液晶表示装置においては、透過表示を行うために液晶表示パネルの背面側にバックライトが設けられる。赤、緑、青の各色のＬＥＤを光源に有するバックライトは、それぞれのＬＥＤから出射された光を混光することにより白色光を生成し、生成された白色光を液晶表示パネルの背面側に照射する。液晶表示装置は、バックライトより照射された白色光を、液晶表示パネルの基板上に積層されている赤、緑、青のそれぞれの波長の光を透過するカラーフィルタに透過させることにより、カラー表示を実現している。
【０００３】
しかしながら、各色のＬＥＤは、温度変化や経時変化により、光度特性が大きく変わる性質があるため、混光された白色光の色も変化してしまうという問題があった。特許文献１では、バックライト側に光センサを設け、各色のＬＥＤから照射される光の光度を直接検知し、その検知信号を基にＬＥＤの光度を調整しているが、ここで調整された白色光の色は、カラーフィルタを通したものではないので、観測者が所望する白色光の色とは異なるという問題があった。
【０００４】
【特許文献１】特開２００４−３４２４５４公報
【発明の開示】
【発明が解決しようとする課題】
【０００５】
本発明は以上の点に鑑みてなされたものであり、カラーフィルタを透過した光の光度を光センサによって検知することで、より適切なＬＥＤの光度調整を行うことを課題とする。
【課題を解決するための手段】
【０００６】
一対の基板と、前記一対の基板の間に設置されると共に画像の表示領域内に配置される複数の色の着色層と、それぞれが異なる色の光を出射する複数の光源を有し、前記一対の基板のうち一方の基板から光を入射させる照明装置と、前記着色層を透過した各色の光の光度を検知する光センサと、前記各色の光の光度を基に前記複数の光源の光度を色毎に制御する光源制御手段と、を備える
上記の電気光学装置は、例えば、一対の基板を有する液晶表示装置であり、複数の色の着色層が、一対の基板の間に設置されると共に画像の表示領域内に配置されている。照明装置は、バックライトであり、一対の基板のうち、一方の基板から光を入射させる。このバックライトとしては、例えば端面に、複数の光源を有する導光板であり、複数の光源としては、例えば、赤色、緑色、青色などの各色のＬＥＤが用いられる。光センサは、着色層を透過した各色の光の光度を検知する。光源制御手段は、光センサによって検知された各色の光の光度を基に複数の光源の光度を色毎に制御する。これにより、電気光学装置は、着色層を透過した白色光の色、即ち、表示画面に映し出される白色を、製品出荷時に設定された白色に正確に調整することができる。
【０００７】
上記の電気光学装置の好適な実施例では、前記複数の色の着色層は、前記一対の基板のうち、いずれか一方の基板に設置されている。
【０００８】
上記の電気光学装置の好適な実施例では、前記複数の光源の光度は、前記複数の光源に流れる電流量により変化し、前記光源制御手段は、前記各色の光の光度が所定の比率となるまで前記複数の光源に流れる電流量を調整する。
【０００９】
上記の電気光学装置の一態様では、前記光センサは、単体の光センサとされ、光の分光スペクトルをとることにより前記各色の光の光度を検知する。このようにすることで、センサの数を減らすことが可能となる。
【００１０】
上記の電気光学装置の他の一態様では、前記電流量は、前記光センサが前記各色の光の光度を検知した後に、前記光源制御手段が前記電流量を調整する調整量の幅が０．２ｍＡ以下とされる。これにより、光源の光の光度を微調整することが可能となる。
【００１１】
上記の電気光学装置の他の一態様では、前記光センサは、前記他方の基板の着色層の存在する範囲を超えて延在する部分に取付けられる。これにより、一部の着色層が光センサによって覆われることがなく、表示領域の拡大を図ることができる。
【００１２】
上記の電気光学装置の好適な実施例では、前記光センサは、前記他方の基板の内部を伝播してくる光を検知する。
【００１３】
本発明の他の観点では、上記の電気光学装置を表示部として備える電子機器を構成することができる。
【発明を実施するための最良の形態】
【００１４】
以下、図面を参照して本発明の好適な実施形態について説明する。尚、以下の実施形態は、本発明を液晶表示装置に適用したものである。
【００１５】
[第１実施形態]
（液晶表示装置）
まず、本発明の第１実施形態に係る液晶表示装置の構成について説明する。図１は、第１実施形態に係る液晶表示装置１００の概略構成を模式的に示す断面図である。図１では、ＴＦＤ素子を用いたアクティブ・マトリクス駆動方式であって、完全透過型の液晶表示装置を一例として挙げる。
【００１６】
図１において、液晶表示装置１００は大きく分けて、液晶表示パネル３０とバックライト５０からなる。
【００１７】
液晶表示パネル３０は、素子基板９１と、その素子基板９１に対向して配置されるカラーフィルタ基板９２とが枠状のシール部材３を介して貼り合わされ、内部に液晶が封入されて液晶層４が形成されてなる。この枠状のシール部材３には、複数の金粒子などの導通部材７が混入されている。
【００１８】
下側基板２は、ガラスなどにより形成され、下側基板２の内面上には、サブ画素ＳＧ毎に、矩形状の開口部２０が複数形成されている。各サブ画素ＳＧの間には、隣接するサブ画素ＳＧ間を隔て、一方のサブ画素から他方のサブ画素への光の混入を防止するため、黒色遮光層ＢＭが形成されている。この黒色遮光層ＢＭは、黒色の樹脂材料、例えば黒色の顔料を樹脂中に分散させたもの等を用いることが可能である。
【００１９】
また、開口部２０上には、サブ画素ＳＧ毎にＲ（赤）、Ｇ（緑）、Ｂ（青）のいずれかからなる着色層６Ｒ、６Ｇ、６Ｂが形成されている。この着色層６Ｒ、６Ｇ、６Ｂによりカラーフィルタが構成される。図中、画素Ｇは、ＲＧＢのサブ画素ＳＧから構成されるカラー１画素分の領域を示している。以下の説明もしくは図面において、色を問わずに構成要素を示す場合には、単に「着色層６」のように記し、色を区別して構成要素を示す場合には、例えば「着色層６Ｒ」のように記すこととする。
【００２０】
着色層６及び黒色遮光層ＢＭの上には、透明樹脂等からなる保護層１８が形成されている。この保護層１８は、各色間のカラーフィルタの段差を平滑化する機能を有すると共に、本実施形態に係るカラーフィルタ基板９２及び液晶表示装置１００の製造工程中に使用される薬剤等による腐食や汚染から、着色層６を保護する機能を有する。保護層１８の表面上には、ストライプ状のＩＴＯ（Indium-Tin Oxide）などの透明電極（走査電極）８が形成されている。この透明電極８の一端はシール部材３内に延在しており、そのシール部材３内の導通部材７と電気的に接続されている。
【００２１】
一方、上側基板１は、ガラスなどにより形成され、上側基板１の内面上には、サブ画素毎に、ＴＦＤ素子２１及び画素電極１０が形成されている。この画素電極１０と透明電極８との間に電圧をかけ、液晶層４の液晶を配向制御することにより光の透過性を変化させて階調表示を行う。
【００２２】
上側基板１の外面上には、ＲＧＢのそれぞれの色の光度を検知するために、光センサ１１が備え付けられる。光センサ１１は、光センサ１１Ｒ、１１Ｇ、１１Ｂの３種類のセンサであり、光センサ１１Ｒは、Ｒ（赤）の光度の大きさを検知し、光センサ１１Ｇは、Ｇ（緑）の光度の大きさを検知し、光センサ１１Ｂは、Ｂ（青）の光度の大きさを検知する。光センサ１１は、着色層６の真上にくる位置に配置され、着色層６を透過した光を直接検知する。
【００２３】
ＴＦＤ素子２１及び画素電極１０の内面上には、透明樹脂等からなる保護層１７が形成されている。上側基板１及び保護層１７の内面上の左右周縁部には、走査線３１が形成されている。走査線３１の一端部はシール部材３内まで延在しており、その走査線３１は、シール部材３内の導通部材７と電気的に接続されている。
【００２４】
下側基板２の透明電極８の内面上、及び上側基板１の保護層１７の内面上には、それぞれ図示しない配向膜が形成されている。それらの配向膜の間には、液晶層４の厚さを均一に保持するために粒子状のスペーサ（図示略）がランダムに配置されている。
【００２５】
下側基板２の透明電極８、即ち下側基板２の走査線と、上側基板１の走査線３１とは、シール部材３内に混入された導通部材７を介して上下導通している。
【００２６】
次にバックライト５０について説明する。バックライト５０は、導光体５１を備え、導光板５１の端面には、光源５５を備えている。光源５５は、ＲＧＢの各色のＬＥＤ５６、即ち、赤色ＬＥＤのＬＥＤ５６Ｒ、緑色ＬＥＤのＬＥＤ５６Ｇ、青色ＬＥＤのＬＥＤ５６Ｂを搭載している。さらに、バックライト５０は、導光板５１の反射面側に反射板５２を備え、導光板５１の出光面側に光を均一に出射するための拡散板５３およびプリズムシート５４を備えている。
【００２７】
光源５５の各色のＬＥＤ５６が発光することにより、光が導光体５１の端面より入射し、導光体５１に入射した光は、導光体５１内部を伝播し、反射板５２、拡散板５３およびプリズムシート５４によって外部に均一に液晶表示パネル３０に向かって出射する。こうして液晶表示パネル３０に照射された照射光のうち、図１に示す経路Ｔに沿って進行した照明光は、開口部２０上の着色層６および液晶層４を通過して観察者に至る。この場合、照射光は、着色層６および液晶層４を透過することにより所定の色相及び明るさを呈する。こうして、所望のカラー表示画像が観察者により視認される。
【００２８】
一方、液晶表示パネル３０に照射された照射光のうち、図１に示す経路Ｔ２に沿って進行した照明光は、着色層６および液晶層４を通過して光センサ１１に入射する。光センサ１１は、入射した光を基にＲＧＢの各色の光の光度を検知する。光センサ１１は、ＬＥＤ電流制御回路６０と電気的に接続されている。ＬＥＤ電流制御回路６０は、各色のＬＥＤ５６と電気的に接続され、光センサ１１の検知した各色の光の光度を基に、各色のＬＥＤ５６へ流す電流量を調整する。ＬＥＤ５６に流す電流量を増やせば、ＬＥＤ５６より出光する光は明るくなり、ＬＥＤ５６に流す電流量を減らせば、ＬＥＤ５６より出光する光は暗くなる。よって、このＬＥＤ電流制御回路６０が、本発明における光源制御手段として機能する。
【００２９】
なお、この液晶表示装置１００は本発明を適用可能な各種の液晶表示装置の一例に過ぎない。即ち、本発明を適用する液晶表示装置の駆動方式、素子基板などは、図示のものに限定されず、各種の構成の液晶表示装置に本発明の適用が可能である。
【００３０】
（ＲＧＢのＬＥＤにおける白色調整）
一般的な液晶表示装置では、バックライトから照射された白色光をカラーフィルタに透過させることによりカラー表示を行う。
【００３１】
図２（ａ）は、ＲＧＢの各色のＬＥＤを有するバックライトの光のスペクトル分布を示している。図２（ａ）において、横軸は光の波長[ｎｍ]を、縦軸は相対発光強度を、それぞれ示す。ＲＧＢの各色の光は、各色のＬＥＤからそれぞれ発光される。従って、図２（ａ）のグラフが示すように、ＲＧＢの各色のＬＥＤを有するバックライトの光は、各色ごとにピークとなる波長を有している。このようなバックライトを有する液晶表示装置では、ＲＧＢの各色のＬＥＤより出光した光を混光することにより、白色光を生成する。
【００３２】
図２（ｂ）は、ＲＧＢのそれぞれのカラーフィルタの透過率を示している。図２（ｂ）において、横軸は光の波長[ｎｍ]を示し、横軸は透過率[％]を示している。図２（ｂ）が示すように、ＲＧＢのそれぞれのカラーフィルタの透過率は、それぞれＲＧＢの各色の波長の範囲で透過率が最も高くなる性質を有している。よって、一般的な液晶表示装置では、ＲＧＢの各色を表示する場合、各色の着色層が各色の波長の範囲にある光のみを透過することにより、カラー表示を行うことができる。
【００３３】
図３は、上記で述べたそれぞれの光源を用いた場合の液晶表示装置による色再現範囲を国際照明委員会（ＣＩＥ）の色度図上に示している。色再現範囲３０１はＲＧＢのＬＥＤを用いた液晶表示装置における色再現範囲を示し、色再現範囲３０２はシングルチップ方式の白色ＬＥＤを用いた液晶表示装置における色再現範囲を示す。シングルチップ方式の白色ＬＥＤは、青色ＬＥＤからの青色光でＹＡＧ（イットリウム・アルミニウム・ガーネット）系蛍光体を励起することによって黄色光を生成し、青色光と黄色光を混光することで白色光を照射する。そのため、シングルチップ方式の白色ＬＥＤを用いた液晶表示装置では、Ｒの相対発光光度が低い。ＲＧＢのＬＥＤを用いた液晶表示装置は、シングルチップ方式の白色ＬＥＤを用いた液晶表示装置よりも、Ｒの表示性能が高いので、図３に示すように、その分、Ｒ方向の色再現範囲も広くなる。
【００３４】
青色ＬＥＤのみが用いられるシングルチップ方式の白色ＬＥＤを用いた液晶表示装置は、青色ＬＥＤを点灯するだけで、白色光を生成できる。それに対し、ＲＧＢのＬＥＤを用いた液晶表示装置は、白色光を生成するのに、赤色ＬＥＤ、緑色ＬＥＤ、青色ＬＥＤという、それぞれ性質の異なる３つのＬＥＤから出光された光を所定の割合で混光する必要がある。そこで、このようなＲＧＢのＬＥＤを用いた一般的な液晶表示装置では、製品出荷時に予め、各色のＬＥＤから出光する光の光度を、ＬＥＤに流す電流量を調整することにより、所定の白色光となる光度に調整している。
【００３５】
一般的な液晶表示装置において、表示画面に映し出される白色は、液晶層を光が完全に透過する状態にした後、ＲＧＢの各色の着色層を透過した光を改めて混光することにより生成される白色光の色である。液晶表示パネルにおける着色層の光の透過率は、その着色層の厚さなどによって異なるため、ＲＧＢの各色のＬＥＤから出光した光は、着色層を透過することにより、ＲＧＢの各色の光の光度がそれぞれ変化する。そのため、バックライト側において、ＲＧＢの各色のＬＥＤから出光する光を混光することにより、所定の白色光が生成されても、着色層６を透過した後の白色光の色が、その所定の白色光の色と同じになるとは限らない。言い換えれば、表示画面で白色表示を行うときに、観測者が視認する白色が、そのバックライト側で生成された所定の白色光の色と同じになるとは限らない。このように、白色光を構成するＲＧＢの各色の光の光度の割合が、着色層の透過率により変化するため、観測者は、表示画面に映し出される白色と、バックライト側で生成した所定の白色光の色とが異なって見えてしまう。
【００３６】
また、各色のＬＥＤの光度は、温度変化や経時変化などによっても変化し、その変化の特性は、各色のＬＥＤによって異なる。そのため、各色のＬＥＤに流す電流量を製品出荷時に予め設定した電流量のままにしておくと、温度変化や経時変化などにより、各色のＬＥＤから出光された光の光度がそれぞれ変化してしまうので、各色のＬＥＤから出光する光を混光しても当初設定していた白色光と同じ白色光とならなくなる。例えば、温度が上昇すると、青色ＬＥＤは明るくなる性質を有し、赤色ＬＥＤは暗くなる性質を有する。そのため、気温が高い場所では、液晶表示パネルの表示画面で表示された白色は、青みがかった白色になる。また、ＲＧＢのＬＥＤのうち、青色ＬＥＤは、劣化が最も早く、時間が経過するにつれて暗くなるのに対し、赤色ＬＥＤは、劣化が最も遅い。よって、時間が経つにつれて、液晶表示パネルの表示画面で表示された白色は、赤みがかった白色になる。
【００３７】
第１実施形態の液晶表示装置１００では、ＲＧＢのそれぞれの光を検知する光センサ１１が上側基板１に設置され、その位置は着色層６の真上にくる位置とされる。光センサ１１は、着色層６を透過した各色の光を検知した後、検知した各色の光の光度を検知信号として、光センサ１１と電気的に接続されているＬＥＤ電流制御回路６０に送る。後に詳しく述べるが、ＬＥＤ電流制御回路６０は、光センサ１１によって検知された各色の光の光度を基に、ＬＥＤ５６に流す電流量を変えることにより、各色の光の光度の割合を、当初設定していた白色光の割合に調整する。これにより、液晶表示装置１００は、着色層６を透過した白色光の色、即ち、表示画面に映し出される白色を、製品出荷時に設定された白色に正確に調整することができる。
【００３８】
第１実施形態に係る液晶表示装置１００では、ＲＧＢのそれぞれの色の光度を検知するために、各色の光の光度を別々に検知する光センサ１１Ｒ、光センサ１１Ｇ、光センサ１１Ｂが上側基板１上に設置されている。しかしながら、これに限られるものではなく、光センサ１１を単体の光センサとしてもよい。この場合でも、単体の光センサである光センサ１１は、ＲＧＢのすべての波長を含む光を検知し、その分光スペクトルをとることにより、ＲＧＢの各色の光の光度を求めることができる。センサ１１を単体のセンサとすることで、センサの数を減らすことが可能となる。
【００３９】
また、着色層６は、ＲＧＢの３色の着色層より構成されるとしているが、これに限られるものではなく、さらにＣ（シアン）を加えた４色の着色層、さらには、Ｙ（黄）、Ｍ（マゼンダ）、Ｃ（シアン）を加えた６色の着色層より構成されるとしてもよい。このような場合においても、新たに加えた色を含む各色の光の光度を光センサによって検知し、検知された各色の光の光度の割合が、予め設定されている所定の白色光の光度の割合になるまで、各色のＬＥＤ５６の光の光度の調整を行うことにより、表示画面に映し出される白色を、製品出荷時に設定された白色に正確に調整することができる。
【００４０】
[第２実施形態]
次に、本発明の第２実施形態に係る液晶表示装置の構成について説明する。図４は、第２実施形態に係る液晶表示装置１００ａの概略構成を模式的に示す断面図である。第１実施形態に係る液晶表示装置１００では、上側基板１に設置される光センサ１１の位置は、着色層６の真上にくる位置とされ、着色層６を透過してくる光を直接検知する構成とされる。それに対し、第２実施形態に係る液晶表示装置１００ａでは、上側基板１は、着色層６の存在する範囲を超えて延在する部分１ａを有し、光センサ１１ａは、その上側基板１の延在された部分１ａに設置される。光センサ１１ａも、第１実施形態に係る液晶表示装置１００の光センサ１１と同様、ＬＥＤ５６の電流量を制御するＬＥＤ電流制御回路６０と電気的に接続されている。
【００４１】
バックライト５０より出光され、着色層６を透過して上側基板１に入射する光のうち、一部の光は、経路Ｔ３に沿って、上側基板１の上下面で反射を繰り返すことにより、上側基板１内部を伝播することができる。この上側基板１内部を伝播する光は、上側基板１の延在した部分１ａに到達したときに、光センサ１１ａによって検知される。これによっても、第１実施形態に係る液晶表示装置１００と同様、光センサ１１ａは、ＲＧＢの各色の光の光度を検知することができる。よって、第２実施形態に係る液晶表示装置１００ａは、着色層６を透過した白色光の色、即ち、表示画面に映し出される白色を、製品出荷時に設定された白色に正確に調整することができる。また、第２実施形態に係る液晶表示装置１００ａでは、第１実施形態に係る液晶表示装置１００と異なり、一部の着色層６が光センサ１１によって覆われることがないので、表示領域の拡大を図ることができる。
【００４２】
なお、図４では、光センサ１１ａは、上側基板１の延在した部分１ａの入光面側に取付けられているが、これに限られず、上側基板１の延在した部分１ａの任意の場所に取付けることが可能である。例えば、破線１１ｂで示すように上側基板１の延在した部分１ａの出光面側に取付けることとしてもよい。
【００４３】
[ＬＥＤ電流制御処理]
次に、ＬＥＤ電流制御処理について、第１実施形態に係る液晶表示装置１００を例に述べる。図５は、ＬＥＤ電流制御回路６０のブロック図である。ＬＥＤ電流制御回路６０は、ＣＰＵ６１と、ＣＰＵ６１に接続されているＲＡＭ（Random Access Memory）などのメモリ６２から構成される。ＣＰＵ６１は、光センサ１１およびＬＥＤ５６と電気的に接続されている。
【００４４】
液晶表示装置１００において、製品出荷時には、表示画面に映し出される白色の設定が行われる。まず、液晶表示パネル３０において、液晶層４は、光を完全に透過する状態にされる。次に、ＲＧＢの各色のＬＥＤ５６に流す電流量を調整することにより、表示画面に映し出される白色が、所定の白色に設定される。このときの着色層６を透過した後の白色光の光度の割合は、メモリ６２に記憶される。このような白色光の例としては、例えば色温度６５００Ｋ程度の白色光であり、そのときのＲＧＢの各色の光の光度の割合は、およそ（Ｒの光度）：（Ｇの光度）：（Ｂの光度）＝４：９：１となる。
【００４５】
先にも述べたように、ＲＧＢの各色のＬＥＤから出光する光の光度は、温度変化や時間変化によって変化するので、定期的に白色光の光度調整を行う必要がある。このＬＥＤ電流制御処理について、図６のフローチャートを用いて説明する。
【００４６】
光センサ１１は、液晶表示パネルが白色表示となるときの着色層６を透過したＲＧＢの各色の光の光度を検知し、検知した各色の光の光度を検知信号Ｄ１としてＣＰＵ６１に供給する（ステップＳ１）。検知信号Ｄ１を受け取ったＣＰＵ６１は、検知信号Ｄ１を基にＲＧＢの各色の光の光度の割合を求める。ＣＰＵ６１は、そのＲＧＢの各色の光の光度の割合が、メモリ６２に記憶されている製品出荷時における白色光の各色の光の光度の割合と等しいか否かを判定する（ステップＳ２）。ＣＰＵ６１は、ＲＧＢの各色の光の光度の割合が、製品出荷時における白色光の各色の光の光度の割合と等しくないと判断した場合（ステップＳ２：Ｎｏ）、ＣＰＵ６１は、各色のＬＥＤ５６に供給する制御電流Ｄ２の値を調整する（ステップＳ３）。このとき、制御電流Ｄ２の一回の調整量は、０．２[ｍＡ]以下とされる。このようにすることで、ＬＥＤ５６の光の光度を微調整することが可能となる。
【００４７】
ＣＰＵ６１は、ＬＥＤ５６に供給する制御電流Ｄ２を調整した後、光センサ１１によって検知されたＲＧＢの各色の光の光度の割合が、製品出荷時における白色光となる各色の光の光度の割合と等しくなるまで、ステップＳ１〜ステップＳ３の動作を繰り返す。ＣＰＵ６１は、検知されたＲＧＢの各色の光の光度の割合が、製品出荷時における白色光の各色の光の光度の割合と等しいと判断した場合（ステップＳ２：Ｙｅｓ）には、ＬＥＤ電流制御処理を終了する。
【００４８】
以上より、温度変化や経時変化における白色光の調整は、着色層６を透過した各色の光の光度を基に行われるので、液晶表示装置１００は、表示画面に映し出される白色を、製品出荷時に設定された白色に正確に調整することができる。なお、第２実施形態に係る液晶表示装置１００ａにおいても、上記で述べたのと同様のＬＥＤ電流制御処理が行われる。
【００４９】
[電子機器]
次に、本発明に係る液晶表示装置１００を適用可能な電子機器の具体例について図７を参照して説明する。
【００５０】
まず、本発明に係る液晶表示装置１００を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００５１】
続いて、本発明に係る液晶表示装置１００を、携帯電話機の表示部に適用した例について説明する。図７（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００５２】
なお、本発明に係る液晶表示装置１００を適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５３】
【図１】第１実施形態に係る液晶表示装置の概略構成を示す側面図である。
【図２】カラーフィルタとＲＧＢのＬＥＤの特性を示す図である。
【図３】ＲＧＢのＬＥＤを有する液晶表示装置の色再現範囲を示す色度図である。
【図４】第２実施形態に係る液晶表示装置の概略構成を示す側面図である。
【図５】ＬＥＤ電流制御回路を示すブロック図である。
【図６】ＬＥＤ電流制御処理を示すフローチャートである。
【図７】本発明の照明装置を適用した電子機器を示す概略図である。
【符号の説明】
【００５４】
１  上側基板、  ２  下側基板、  ６  着色層、  １１  光センサ、  ５１  導光板、  ５５  光源、  ５０  照明装置、  １００  液晶表示装置
【図１】
2006267784.tif 000003
【図２】
2006267784.tif 000004
【図３】
2006267784.tif 000005
【図４】
2006267784.tif 000006
【図５】
2006267784.tif 000007
【図６】
2006267784.tif 000008
【図７】
2006267784.tif 000009